(57)【要約】      （修正有）【課題】  ＩＣの両面から放熱できて放熱効果を上げられ、簡易な構造にできるビデオカセットレコーダーにおけるキャプスタンモータの駆動用ＩＣの放熱構造及びＩＣの放熱構造を提供する。【解決手段】  放熱板１は略コ字形に形成され、その前壁面１ａはＩＣ２が取り付けられた基板３に形成された端部溝３ａに中央部が入り込む略横Ｈ字形に形成されており、基板３には、ＩＣ２が配置される箇所に上下に貫通する方形の穴部３ｂが穿設され、この穴部３ｂはＩＣ２が配置される箇所より前側に延設されていて、放熱板１には、ＩＣ２を上下で挟む上下凸部１c等が形成されており、ＩＣ２と放熱板１の上下凸部１c等との接する面に放熱グリスが塗布され、放熱板１には、シャーシの穴部に入れ込まれる脚部１f等が下向きに突設されている。【選択図】  図１
2006005249.tif 000002
【特許請求の範囲】
【請求項１】
ＩＣを放熱板に接してＩＣからの発熱を前記放熱板で放熱するように構成したビデオカセットレコーダーにおけるキャプスタンモータの駆動用ＩＣの放熱構造において、前記放熱板は略コ字形に形成され、その前壁面は前記ＩＣが取り付けられた基板に形成された端部溝に中央部が入り込む略横Ｈ字形に形成されており、基板には、ＩＣが配置される箇所に上下に貫通する方形の穴部が穿設され、この穴部は前記ＩＣが配置される箇所より前側に延設されていて、前記放熱板には、前記ＩＣを上下で挟む上下凸部が形成されており、前記ＩＣと前記放熱板の上下の凸部との接する面に放熱グリスが塗布され、前記放熱板には、シャーシの穴部に入れ込まれる脚部が下向きに突設されていることを特徴とするビデオカセットレコーダーにおけるキャプスタンモータの駆動用ＩＣの放熱構造
【請求項２】
ＩＣを放熱板に接してＩＣからの発熱を前記放熱板で放熱するように構成したＩＣの放熱構造において、前記放熱板は略コ字形に形成され、基板には、ＩＣが配置される箇所に上下に貫通する方形の穴部が穿設され、前記放熱板には、前記ＩＣを上下で挟む上下凸部が形成され、前記放熱板はシャーシに接面する状態でシャーシに取り付けられていることを特徴とするＩＣの放熱構造。
【発明の詳細な説明】
【技術分野】
【０００１】
本発明は、ＩＣを放熱板に接してＩＣからの発熱を前記放熱板で放熱するように構成したビデオカセットレコーダーにおけるキャプスタンモータの駆動用ＩＣの放熱構造      及びＩＣの放熱構造関するものである。
【背景技術】
【０００２】
第１の従来技術を図４に示す。この従来のＩＣ実装用筐体は、図４に示すように、プリント基板１０１にスルーホール１０６を介してプリント基板１０１の表と裏の表面上に互いに導通する導体パターン１０３を設け、表の導体パターン上に樹脂封止ＩＣ１０２とプリント基板１０１の裏の導体パターン１０３とを圧接する窪み１０５を有する筐体カバー１０４、１０７が上下から樹脂封止ＩＣ１０２の放熱効果を促すようになっている。（例えば、特許文献１参照）。
【０００３】
ところが、これにおいては、下側の窪み１０５がＩＣ１０２に接していないものであった。
【０００４】
第２の従来技術を図５に示す。この従来の電子装置は、図５に示すように、放熱部材２０４によりパワートランジスタ２０３を基板２０２に押圧固定すると共に、放熱部材２０４の一部をケース２０５に接触させた。さらに、放熱部材２０４を基板２０２に保持すると共に、放熱部材２０４とパワートランジスタ２０３との間に放熱シート２０７（放熱促進手段）を配設した。これにより、ねじ締め等が不要な簡易な手段により作業性を向上しつつ、基板２０２上の任意の位置に実装されたパワートランジスタ２０３が生じる熱をケース２０５へ確実に効率良く放熱することができる。（例えば、特許文献２参照）。
【０００５】
ところが、これにおいては、パワートランジスタ２０３の片面だけが放熱部材２０４に接しているものであった。
【特許文献１】特開平７−７９０８２号公報
【特許文献２】特開く２００２−２１７３４２号公報
【発明の開示】
【発明が解決しようとする課題】
【０００６】
本発明は、上記従来の実情に鑑みてなされたものであって、ＩＣの両面から放熱できて放熱効果を上げることができ、しかも簡易な構造とすることができるビデオカセットレコーダーにおけるキャプスタンモータの駆動用ＩＣの放熱構造及びＩＣの放熱構造を提供することを目的としている。
【課題を解決するための手段】
【０００７】
本発明は、上記課題を解決するために提案されたものであって、請求項１に記載の発明は、ＩＣを放熱板に接してＩＣからの発熱を前記放熱板で放熱するように構成したビデオカセットレコーダーにおけるキャプスタンモータの駆動用ＩＣの放熱構造において、前記放熱板は略コ字形に形成され、その前壁面は前記ＩＣが取り付けられた基板に形成された端部溝に中央部が入り込む略横Ｈ字形に形成されており、基板には、ＩＣが配置される箇所に上下に貫通する方形の穴部が穿設され、この穴部は前記ＩＣが配置される箇所より前側に延設されていて、前記放熱板には、前記ＩＣを上下で挟む上下凸部が形成されており、前記ＩＣと前記放熱板の上下の凸部との接する面に放熱グリスが塗布され、前記放熱板には、シャーシの穴部に入れ込まれる脚部が下向きに突設されていることを特徴としている。
【０００８】
請求項２に記載の発明は、ＩＣを放熱板に接してＩＣからの発熱を前記放熱板で放熱するように構成したＩＣの放熱構造において、前記放熱板は略コ字形に形成され、基板には、ＩＣが配置される箇所に上下に貫通する方形の穴部が穿設され、前記放熱板には、前記ＩＣを上下で挟む上下凸部が形成され、前記放熱板はシャーシに接面する状態でシャーシに取り付けられていることを特徴としている。
【発明の効果】
【０００９】
請求項１に記載の発明によれば、キャプスタンモーターの駆動用ＩＣの両面から放熱できて放熱効果を上げることができ、しかも簡易な構造とすることができる。また、放熱板の前壁面がＩＣが取り付けられた基板に形成された端部溝部に中央部が入り込む略横Ｈ字形に形成されているので、基板と放熱板との互いの相対位置の擦れを防止することができる。更に、ＩＣの両面に放熱グリスが塗布されているので、放熱板とＩＣの密着性を高めることができて、より一層放熱効果を上げることができる。
【００１０】
請求項２に記載の発明によれば、ＩＣの両面から放熱できて放熱効果を上げることができ、しかも簡易な構造とすることができる。
【発明を実施するための最良の形態】
【００１１】
【図面の簡単な説明】
【００１２】
以下、本発明に係るビデオカセットレコーダーにおけるキャプスタンモータの駆動用ＩＣの放熱構造及びＩＣの放熱構造の実施の形態について、図を参照しつつ説明する。
【００１３】
図１は本発明の実施形態のビデオカセットレコーダーにおけるキャプスタンモータの駆動用ＩＣの放熱構造の分解斜視図、図２は同構造におけるＩＣを取り付けた基板の平面図、図３は同構造の縦断面図である。
【００１４】
本実施形態のビデオカセットレコーダーにおけるキャプスタンモータの駆動用ＩＣの放熱構造は、図１、図２、図３に示すように、放熱板１は略コ字形に形成され、その前壁面１ａはＩＣ２が取り付けられた基板３に形成された端部溝３ａに中央部が入り込む略横Ｈ字形に形成されている。基板３には、ＩＣ２が配置される箇所に上下に貫通する方形の穴部３ｂが穿設され、この穴部３ｂはＩＣ２が配置される箇所より前側に延設されていて、放熱板１には、ＩＣ２を上下で挟む上下凸部１ｃ、１ｄが形成されている。ＩＣ２と放熱板１の上下の凸部１ｃ、１ｄとの接する面に放熱グリス（図示略）が塗布され、放熱板１には、シャーシ４の穴部４ａ、４ｂに入れ込まれる脚部１ｅ、１ｆが下向きに突設されている。
【００１５】
先ず、ＩＣ２が基板３の穴部３ｂに取り付けられた状態で、放熱板１を基板３の前端から奥側に入れ込む。放熱板１の凸部１ｄを基板３の穴部３ｂにもぐらせ、水平方向にスライドさせる。すると、放熱板１の端溝部１ｂ、１ｂに基板３の端溝部３ａが放熱板１の中央部が嵌め込まれる。すると、放熱板１の上下凸部１ｃ、１ｄ間にＩＣが挟み込まれるように配置される。
【００１６】
従って、キャプスタンモーターの駆動用ＩＣ２の両面から放熱できて放熱効果を上げることができ、しかも簡易な構造とすることができる。また、放熱板１の前壁面１ａがＩＣ２が取り付けられた基板３に形成された端溝部３ａに中央部が入り込む略横Ｈ字形に形成されているので、基板３と放熱板１との互いの相対位置の擦れを防止することができる。更に、ＩＣ２の両面に放熱グリスが塗布されているので、放熱板１とＩＣ２の密着性を高めることができて、より一層放熱効果を上げることができる。
【図１】本発明の実施形態のビデオカセットレコーダーにおけるキャプスタンモータの駆動用ＩＣの放熱構造の分解斜視図である。
【図２】同構造におけるＩＣを取り付けた基板の平面図である。
【図３】同構造の縦断面図である。
【図４】従来のＩＣ実装用筐体の縦断面図である。
【図５】従来の電子装置の縦断面図である。
【符号の説明】
【００１７】
１          放熱板
１ａ        前壁面
１ｂ        端溝部
１ｃ        上凸部
１ｄ        下凸部
１ｅ        脚部
１ｆ        脚部
２          ＩＣ
３          基板
３ａ        端部溝
３ｂ        穴部
４          シャーシ
４ａ        穴部
４ｂ        穴部
【図１】
2006005249.tif 000003
【図２】
2006005249.tif 000004
【図３】
2006005249.tif 000005
【図４】
2006005249.tif 000006
【図５】
2006005249.tif 000007